(57)【要約】      （修正有）【課題】設置面から浮いたりずれたりせず、簡単に交換ができる床等に敷いて使用する防虫シートを提供する。【解決手段】防虫シート１を設置するためのトレイ４は中央に凸部５を突出して形成する。防虫シート１はトレイ４の形状に合わせ、トレイ４の内側に収まる形に形成される。また、防虫シート１には穴２と穴３を形成する。防虫シート１に形成した貫通状態の穴２は、トレイ４に形成された凸部５と嵌合するような形状に形成されている。トレイ４の凸部５に防虫シート１の穴２を嵌合させ、防虫シート１をトレイ４上に敷いてから、粘着テープを、防虫シート１に形成された穴３をそれぞれ塞ぐように貼り付ける。粘着テープは防虫シート１にも接し、また穴３を通じてトレイ４にも接して防虫シート１をトレイ４に貼り付けて固定する。【選択図】図２
0003180110.tif 000002
【実用新案登録請求の範囲】
【請求項１】
飲料用サーバー、調理用機器、食品庫、キャビネットやプランター等の下に設置して使用するトレイの内側に敷いて使用する防虫シートで、
紙、布、不織布、網、織物、樹脂等からなるシート状の基材に１つもしくは複数個の穴を形成し、
さらに該穴のうち少なくとも１つはトレイに形成された凸部分に嵌合する形状に形成されていることを特徴とし、
また、粘着テープを、該防虫シートの表面側から穴と穴周辺の防虫シート部分にかかるように貼り付けて、該防虫シートをトレイに固定することを特徴とし、
さらに該防虫シートには薬剤や油脂、天然香料などを該シートの少なくとも片面に含有させることを特徴とする防虫シート。
【請求項２】
前記防虫シートは、薬剤や油脂、天然香料などを防虫シートの材料に練り込んで形成するか、あるいは防虫シートに含浸させるか、あるいは防虫シートの少なくとも片面に塗布して、それらの薬剤が該防虫シートから揮発することを特徴とした、請求項１に記載の防虫シート。
【請求項３】
前記防虫シートで  防虫シートの上に設置する機器類に隠れて見えなくなる位置に前記穴を形成したことを特徴とする、請求項１に記載の防虫シート。
【考案の詳細な説明】
【技術分野】
【０００１】    本考案は、地面や床等に敷いて使用する防虫シートに関し、特に飲料用サーバー機器類、食品庫、キャビネット、押入れ、プランター等の下に設置するトレイの中に敷いて使用し、長期間にわたって防虫成分を揮発できる防虫シートに関する。
【背景技術】
【０００２】  従来から、例えば、ゴキブリ、蟻、クモ、ムカデ等の昆虫等や、ネズミ等の小動物等（以下、このような昆虫や小動物等を総称して「害虫」と記す）が、各種機器の内部に侵入することを防止する害虫駆除部材、特に薄いシート状の防虫シートというものが用いられており、ホームセンター等の小売店で販売されている。これらの防虫シートには薬剤等の害虫が忌避する成分が含有させてある。これらの防虫シートの使い方であるが、害虫が地面や床面から這ってきて各種機器の筐体や脚部分にとりつこうとした際に、設置してある防虫シート上を歩かねば各種機器にたどりつけないように防虫シートを設置しておき、防虫シートから揮発している薬剤等の成分を害虫が嫌って防虫シートを避ける。その結果、害虫が各種機器に寄り付かないようになっている。【０００３】  しかし、上記のような防虫シートを実際に使用してみると、防虫シートが浮いたりずれたりした部分から害虫が各種機器に取り付いてしまうことがある。これを防ぐため、上記防虫シートにはシートが前記トレイの設置面から浮いたり滑ってずれたりしないように、消費者が適当な粘着テープで希望の設置先に貼り付けて使用しているのが現状である。従来の防虫シートの裏面に予め両面テープのようなものをつけておいても良いが、両面テープをつけて製造・販売するとなると材料・工数の面から見てもコストアップしてしまうのでよろしくない。また、設置先の面の状態はそれぞれ材質や形状などが違うため、防虫シートのどの位置に両面テープをつけたらよいかは製造者側には不明である。防虫シートを購入した消費者が適当に貼るというのが現状である。【０００４】  さらに、両面テープを防虫シートの裏側に貼ると、防虫シートの表面側から見た場合、どこで両面テープで固定されているのかがわからず、防虫シートを新しいものに取り替える際にテープを止めてある部分を探す手間がかかる。特に飲料用サーバー等の機器類の下に設置した防虫シートを取り替える際は、機器類をトレイからどかしてからトレイ上の防虫シートを剥がし、新しいシートに貼り換え、また機器類を元の位置に戻す、という手順になるため、なるべく少ない手数でシートの交換ができること、要するに簡単に剥がせる防虫シートが望まれている。【０００５】  前記両面テープで貼る件については、糊残りの問題もあり、例えば防虫シートを乱暴に剥がすと、両面テープを貼った部分だけ防虫シートごと破れて残ってしまう。また無理やりにテープを剥がすと、糊の粘着力の方が強くて設置先の表面の塗装や化粧板などを剥がしてしまうこともある。【０００６】  粘着テープを防虫シートの表面側から防虫シートの四隅の端に貼ってトレイに固定するという方法もあるにはあるが、貼った粘着テープが見えてしまい見映えが悪い、という問題があった。
【考案の概要】
【考案が解決しようとする課題】
【０００７】  本考案は、上記した従来品の有する問題点を解決すべく考案されたものであり、設置面から浮いたりずれたりせず、剥がすときに糊残りが無く、簡単に交換ができる防虫シートを提供することを課題とする。
【課題を解決するための手段】
【０００８】  請求項１に記載の考案は、飲料用サーバー、食品庫、キャビネットやプランターの下に設置して使用するトレイの内側に敷いて使用する防虫シートで、紙、布、不織布、網、織物、樹脂等からなるシート状の基材に１つもしくは複数個の穴を形成し、
さらに該穴の少なくとも一つは、トレイに形成された凸部分に嵌合する形状に形成されていることを特徴とし、
また、粘着テープを、該防虫シートの表面側から穴と穴周辺の防虫シート部分にかかるように貼り付けて、該防虫シートをトレイに固定すること特徴とし、
さらに該防虫シートには薬剤や油脂、天然香料などを該シートの少なくとも片面に含有させることを特徴とするものである。【０００９】  請求項２に記載の考案は、請求項１に記載の防虫シートにおいて、薬剤や油脂、天然香料などを防虫シートの材料に練り込んで形成するか、あるいは含浸させるか、あるいは防虫シートの少なくとも片面に塗布して、それらの薬剤が該防虫シートから揮発することを特徴としている。
【考案の効果】
【００１０】  請求項１に記載の考案によれば、防虫シートには穴が１個または複数個形成されており、該穴と穴周辺の防虫シート部分にかかるように粘着テープを貼り付けて、防虫シートをトレイ等の設置面に固定する。これにより、防虫シートの表面側からテープを貼るだけで防虫シートを簡単に設置したい場所に固定することができ、裏面側に両面テープ等で固定するより場合よりも楽に設置、固定ができる。【００１１】  また、請求項１に記載の考案によれば、防虫シートは防虫シートの表面側から防虫シートを上方に持ち上げれば、粘着テープは防虫シートに貼りついたままシートの設置面から簡単に剥がれるため、一気に全部の粘着テープを剥がすこともでき、両面テープで固定した場合よりも簡単に設置面から剥がすことができる。これにより、防虫シートを古いものから新しいものに取り替える際に手数がかからず作業者の負担が少なくて済む。【００１２】  請求項１に記載の考案によれば、防虫シートに形成した穴は、トレイに形成された凸部と嵌合するような形状に形成されている。この穴にトレイの凸部をはめ込むことにより、防虫シートをトレイに設置する際に、上下左右のどちらかに防虫シートが偏ることなく位置決めが楽にでき、粘着テープで固定する際にも滑ってずれることが無く、ずれてしまって貼り直しする手間が省けて便利である。【００１３】  請求項１に記載の考案によれば、防虫シートには薬剤や油脂、天然香料などを防虫シートの少なくとも片面に含有させてあるため、これら薬剤等の防虫忌避効果により防虫シート上に設置した機器類から虫を遠ざける効果が得られる。【００１４】  請求項２に記載の考案によれば、防虫シートには薬剤や油脂、天然香料などを防虫シートの材料に予め練り込むか、あるいは含浸させるか、あるいは防虫シートの少なくとも片面に塗布してあり、それらの薬剤が該防虫シートから揮発することを特徴としているため、薬剤等の防虫忌避効果により防虫シート上に設置した機器類から虫を遠ざける効果が得られる。特に、薬剤を練り込む方法を採用した場合は防虫シートを成形するだけで防虫シートが完成するので、薬剤塗布等の加工の手間が減る。
【考案を実施するための最良の形態】
【００１５】      以下、図面を参照して本考案の防虫シートの実施の形態を説明する。図１は本考案にかかる防虫シート１を示す正面図である。背面図は正面図と同様にあらわれるので省略する。また、左右側面図や平面図、底面図も、本考案にかかる防虫シートが０．０１ｍｍから１ｍｍの厚さのシート状であるため、図示しても１ｍｍの線になってしまうため、これも省略する。【００１６】  図２は本考案にかかる防虫シート１の使用状況を示す斜視図であり、防虫シート１の設置手順を示す図である。防虫シート１を設置するためのトレイ４の全体的な形状は、トレイ４の上に乗せる機器類等の形状や、設置場所の形状やスペースに合わせることが望ましいので特に図示した形状に限定するものではない。ただし、該トレイ４は中央に凸部５を突出して形成する。防虫シート１はトレイ４の形状に合わせ、トレイ４の内側に収まる形に形成される。また、防虫シート１には穴２と穴３を形成する。穴３の数や形状は自由だが、防虫シート１の四隅付近に形成するのが、虫シートの浮きやズレを防ぐ点で望ましい。【００１７】  図２に示したように、防虫シート１に形成した貫通状態の穴２は、トレイ４に形成された凸部５と嵌合するような形状に形成されている。穴２に凸部５をはめ込むことにより、防虫シート１をトレイ４に設置する際に位置決めが楽にでき、防虫シート１が上下左右に偏ったりずれたりしてしまうことが無い。【００１８】  図３は本考案にかかる防虫シート１の使用状況を示す斜視図であり、図２から続く防虫シート１の設置手順の図である。トレイ４の凸部５に防虫シート１の穴２を嵌合させ、防虫シート１をトレイ４上に敷いてから、粘着テープ６を、防虫シート１に形成された穴３をそれぞれ塞ぐように貼り付ける。粘着テープ６は防虫シート１にも接し、また穴３を通じてトレイ４にも接して防虫シート１をトレイ４に貼り付けて固定する。【００１９】  図４は本考案にかかる防虫シート１の使用状況を示す斜視図であり、図３の状態から続く防虫シート１の設置手順図である。上記手順の後、防虫シート１が粘着テープ６により固定されたら、飲料用サーバー等の機器類７をトレイ上に設置する。ここでは機器類７は飲料用サーバー、調理用機器類、食品庫、キャビネットやプランター等を例に挙げているが、この限りではなく、害虫を避けたいものをトレイ４上に乗せることができる。よって、機器類７の形状は様々であることが予想されるので、図４ではあえて箱のような形で省略して表現している。【００２０】  本考案にかかる防虫シート１は、全体の厚みが０．０１ｍｍ〜１ｍｍであることが好ましい。材料費を考慮すると薄い方が良いが、あまり薄いとシートの強度が得られない。様々な試作を重ねた結果、強度と費用の両方のバランスをとってこの厚さが最適であった。【００２１】  防虫シート１の穴２、穴３の位置は各図に示した位置に特に限定するものではない。防虫シート１の四隅に粘着テープ６を貼っても構わないのであるが、飲食店などの場合で見た目が気になる場所での使用の際には、上に設置すべき機器類７等の下に隠れる位置に穴３を形成しておくと、機器類７を使用している時は防虫シート１表面に貼った粘着テープ６が見えないので、見映えが良い。【００２２】  本考案にかかる防虫シート１は、トレイ４を使用せずに、設置したい場所の床面、地面等に直接貼り付けても構わない。ただし、設置面の材質によって粘着テープ６が剥がれやすい場所もあるため、そういった場合はトレイ４を使用する。また、粘着テープ６の貼り付け、取外しによって設置面の床材や塗装が剥げることが心配される場合にも、トレイ４を使用すると良い。【００２３】  本考案にかかる防虫シート１の素材は紙、布、不織布、樹脂が挙げられるが、樹脂を使用して作る場合は、例えば、ポリエステル、ポリオレフィン、ポリエーテル、ポリアミド、ポリプロピレン、ポリエチレン、ポリ塩化ビニル、ポリ乳酸等の合成樹脂を薄いフィルム状に形成したものが好適である。【００２４】  上記、本考案にかかる防虫シートに含有させる防虫成分としては、例えば、薬殺成分、成長制御成分、忌避成分、誘引成分等が挙げられる。具体的には、例えば、害虫駆除活性を有する化合物、殺傷害虫活性を有する化合物、害虫の摂食阻害活性、害虫の成長コントロール活性を有する化合物等を挙げることができる。
このような害虫駆除効果を発揮する化合物としては、例えば、イミダクロプリドの様なクロロニコチニル系殺虫剤、シラフルオフェンの様なケイ素原子を有するネオフィルラジカルからなる化合物、ベンフラカルブ、アラニカルブ、メトキシジアゾン、カルボスファン、フェノブカルブ、カルバリル、メソミル、プロポクサー、フェノキシカルブ等のカーバメート系化合物、ピレトリン、アレスリン、ｄｌ，ｄ−Ｔ８０−アレスリン、ｄ−Ｔ８０−レスメトリン、バイオアレスリン、ｄ−Ｔ８０−フタルスリン、フタルスリン、レスメトリン、フラメトリン、プロパスリン、ペルメトリン、アクリナトリン、エトフェンプロックス、トラロメトリン、フェノトリン、ｄ−フェノトリン、フェンバレレート、エンペントリン、ジノテフラン、プラレトリン、テフルスリン、ベンフルスリン等のピレスロイド系化合物、ジクロロボス、フェニトロチオン、メトフルトリン、ダイアジノン、マラソン、プロモフォス、フェンチオン、トリクロルホン、ナレド、テメホス、フェンクロホス、クロルピリホスメチル、シアホス、カルクロホス、アザメチホス、ピリダフェンチオン、プロペタンホス、クロルピリホス等の有機リン系化合物及びこれらの異性体、誘導体、類縁体等を例示できる。また、メトプレン、ピリプロキシフェン、キノプレン、ハイドロプレン、デオヘノラン、ＮＣ−１７０、フルフェノロクスロン、ジフルベンズロン、ルフェヌロン、クロルアズロン等の小動物の成長をコントロールする活性を有する化合物が挙げられる。また、殺ダニ剤としてケルセン、クロルフェナビル、デブフェンピラドピリダベン、ミルベメクチン、フェンピロキシメート、殺鼠剤としてはシリロシド、ノルボマイド、隣化亜鉛、硫酸タリウム、黄隣、アンツー、ワルファリン、エンドサイド、クマリン、クマテトラリン、プロマジオロン、ディフェチアロン等が挙げられる。【００２５】  また、昨今では殺虫剤を嫌う顧客も増えているため、天然成分による防虫効果が望める製品が求められている。本考案にかかる防虫シートに含有させる天然の防虫成分としては、ツバキ科植物の種子から抽出されるサポニン、タンニン等が挙げられる。この他にも、虫が忌避する天然香料などを使用しても良い。
【図面の簡単な説明】
【００２６】
【図１】本考案にかかる防虫シートの第１実施例の正面図である。背面図は正面図と同様に表れるため省略する。
【図２】本考案にかかる防虫シートの使用例を示す斜視図である。
【図３】本考案にかかる防虫シートの使用例を示す斜視図である。
【図４】本考案にかかる防虫シートの使用例を示す斜視図である。
【符号の説明】
【００２７】１    防虫シート
２    基準の穴
３    穴
４    トレイ
５    トレイの凸部
６    粘着テープ
７    ウォーターサーバー等の各種機器類の筐体の一部分
【図１】
0003180110.tif 000003
【図２】
0003180110.tif 000004
【図３】
0003180110.tif 000005
【図４】
0003180110.tif 000006